(57)【要約】【課題】  本発明は、ファンフォールドシートを正確な位置にセットすることができ、装置内に供給されるファンフォールドシートに蛇行が生じることなく、ファンフォールドシートが破れることがないと共に、装置内へのファンフォールドシートの供給時にラベルが剥がれてしまうことがないプリンタを提供することを課題とする。【解決手段】  パネル取り付け溝７によって、通紙口を開閉自在に覆うリアパネル５を装置の後方側に延出させ、且つリアパネル５のファンフォールドシート３と当接する側の面が、ファンフォールドシート３を搬送する際の基準面（側板４）と同一平面上に配置されるように位置決めすることにより、リアパネル５をセット基準としてファンフォールドシート３をセットすることができる。【選択図】        図２
2006068902.tif 000002
【特許請求の範囲】
【請求項１】
装置背面部の通紙口を介して装置内に供給されるファンフォールドシートに印字を行うプリンタであって、
前記通紙口を開閉自在に覆うリアパネルと、
該リアパネルを装置の後方側に延出させ、且つ前記リアパネルの前記ファンフォールドシートと当接する側の面が、前記ファンフォールドシートを搬送する際の基準面と同一平面上に配置されるように位置決めする位置決め手段とを具備し、
前記位置決め手段によって前記リアパネルが位置決めされている状態では、前記リアパネルが開成されて前記通紙口が解放されることを特徴とするプリンタ。
【請求項２】
前記リアパネルの前記ファンフォールドシートと当接する側の面には、前記ファンフォールドシートをセットする位置を示すセット位置目印が標記されていることを特徴とする請求項１記載のプリンタ。
【請求項３】
前記位置決め手段は、前記ファンフォールドシートの搬送方向に形成されたパネル取り付け溝であることを特徴とする請求項１又は２記載のプリンタ。
【請求項４】
前記位置決め手段は、前記リアパネルと装置背面部との間に架け渡されるリアパネル固定アームであることを特徴とする請求項１乃至３のいずれかに記載のプリンタ。
【発明の詳細な説明】
【技術分野】
【０００１】
本発明は、ファンフォールド紙やファンフォールドラベルに印字を行うプリンタに関し、特に装置の後方にセットされたファンフォールド紙やファンフォールドラベルが装置背面部の通紙口を介して装置内に供給されるプリンタに関する。
【背景技術】
【０００２】
搬送方向に対して一定の長さで交互に折り畳まれた状態にあるファンフォールド紙やファンフォールドラベル（以下、ファンフォールド紙およびファンフォールドラベルをファンフォールドシートと称す）に印字を行うプリンタは、一般的に、装置の後方にファンフォールドシートをセットし、装置の後方にセットされたファンフォールドシートが装置背面部の通紙口を介して装置内に供給されるように構成されている（例えば、特許文献１参照）。
【０００３】
しかしながら、従来技術では、ファンフォールドシートを装置の後方にセットする際のセット基準が存在しないため、ファンフォールドシートを正確な位置にセットすることが困難であり、ファンフォールドシートが幅方向で正確な位置にセットされていない場合には、装置内に供給されるファンフォールドシートに蛇行が生じ、ファンフォールドシートが破れる恐れがあると共に、ファンフォールドシートのセット位置が装置に近すぎた場合には、装置内へのファンフォールドシートの供給時にラベルが剥がれてしまうという問題点があった。
【特許文献１】特開平５−３０１４０３号公報
【発明の開示】
【発明が解決しようとする課題】
【０００４】
本発明は斯かる問題点に鑑みてなされたものであり、その目的とするところは、ファンフォールドシートを正確な位置にセットすることができ、装置内に供給されるファンフォールドシートに蛇行が生じることなく、ファンフォールドシートが破れることがないと共に、装置内へのファンフォールドシートの供給時にラベルが剥がれてしまうことがないプリンタを提供する点にある。
【課題を解決するための手段】
【０００５】
本発明は上記課題を解決すべく、以下に掲げる構成とした。
請求項１記載の発明の要旨は、装置背面部の通紙口を介して装置内に供給されるファンフォールドシートに印字を行うプリンタであって、前記通紙口を開閉自在に覆うリアパネルと、該リアパネルを装置の後方側に延出させ、且つ前記リアパネルの前記ファンフォールドシートと当接する側の面が、前記ファンフォールドシートを搬送する際の基準面と同一平面上に配置されるように位置決めする位置決め手段とを具備し、前記位置決め手段によって前記リアパネルが位置決めされている状態では、前記リアパネルが開成されて前記通紙口が解放されることを特徴とするプリンタに存する。
また請求項２記載の発明の要旨は、前記リアパネルの前記ファンフォールドシートと当接する側の面には、前記ファンフォールドシートをセットする位置を示すセット位置目印が標記されていることを特徴とする請求項１記載のプリンタに存する。
また請求項３記載の発明の要旨は、前記位置決め手段は、前記ファンフォールドシートの搬送方向に形成されたパネル取り付け溝であることを特徴とする請求項１又は２記載のプリンタに存する。
また請求項４記載の発明の要旨は、前記位置決め手段は、前記リアパネルと装置背面部との間に架け渡されるリアパネル固定アームであることを特徴とする請求項１乃至３のいずれかに記載のプリンタに存する。
【発明の効果】
【０００６】
本発明のプリンタは、位置決め手段によって、通紙口を開閉自在に覆うリアパネルを装置の後方側に延出させ、且つリアパネルのファンフォールドシートと当接する側の面が、ファンフォールドシートを搬送する際の基準面と同一平面上に配置されるように位置決めすることにより、リアパネルをセット基準としてファンフォールドシートをセットすることができるため、ファンフォールドシートの幅方向の位置を正確にセットすることができ、装置内に供給されるファンフォールドシートに蛇行が生じることなく、ファンフォールドシートが破れることがないという効果を奏する。
【０００７】
さらに、本発明のプリンタは、リアパネルのファンフォールドシートと当接する側の面に、ファンフォールドシートをセットする位置を示すセット位置目印を標記することにより、セット位置目印をセット基準としてファンフォールドシートをセットすることができるため、ファンフォールドシートの幅方向の位置を正確にセットすることができ、装置内へのファンフォールドシートの供給時にラベルが剥がれてしまうことがないという効果を奏する。
【発明を実施するための最良の形態】
【０００８】
以下、本発明の実施の形態を図面に基づいて詳細に説明する。
【０００９】
（第１の実施の形態）
図１は、本発明に係るプリンタの第１の実施の形態の構成を示す概略斜視図であり、図２は、図１に示すプリンタにおいてリアパネルをセット基準として使用している状態を示す概略斜視図である。
【００１０】
第１の実施の形態は、図１および図２を参照すると、プラテン１とサーマルヘッド２とによってファンフォールドシート３を挟持しながら搬送して印字を行うプリンタであり、ファンフォールドシート３は、側板４に沿って、すなわち側板４を基準面として搬送されるように構成されている。
【００１１】
リアパネル５は、装置背面部に形成された通紙口を開閉自在に覆う部材で、取り外すことができるように構成されている。リアパネル５を取り外すことによって装置背面に形成された通紙口が解放され、装置の後方にセットされたファンフォールドシート３が解放された通紙口を介して装置内に供給され、印字が施された後に手前側から排出される。
【００１２】
底板６には、リアパネル５を取り付けるためのパネル取り付け溝７がファンフォールドシート３の搬送方向に形成されている。パネル取り付け溝７は、取り付けたリアパネル５の位置決めを行う位置決め手段として機能し、図２に示すように、パネル取り付け溝７にリアパネル５を取り付けた状態では、リアパネル５は、装置の後方側に延出され、リアパネル５のファンフォールドシート３と当接する側の面が基準面（側板４）と同一平面上に配置されるように位置決めされる。なお、パネル取り付け溝７の形成位置は、底板６に限定されるものではなく、例えば図示しない天板に設けるようにしても良い。
【００１３】
従って、パネル取り付け溝７に取り付けられたリアパネル５は、ファンフォールドシート３を装置の後方にセットする際のセット基準となると共に、装置内に供給されるファンフォールドシート３の搬送をガイドするガイド手段として機能する。
【００１４】
また、リアパネル５のファンフォールドシート３と当接する側の面には、セット位置目印５１が刻印やシルク印刷等によって標記されている。セット位置目印５１は、パネル取り付け溝７にリアパネル５を取り付けた状態で、ファンフォールドシート３をセットする位置を示すものであり、装置内に安定して供給することができる位置にファンフォールドシート３をセットすることが可能となる。なお、第１の実施の形態では、セット位置目印５１を１カ所のみ標記した例を示したが、使用するファンフォールドシート３の種類によって適するセット位置が異なる場合には、それぞれのセット位置を示すセット位置目印５１と、セットするファンフォールドシート３の種類を示す記号や文字を標記するようにすると良い。
【００１５】
（第２の実施の形態）
図３は、本発明に係るプリンタの第２の実施の形態の構成を示す概略斜視図であり、図４は、図３に示すプリンタを後方側から見た図であり、図５は、図３に示すプリンタにおいてリアパネルをセット基準として使用している状態を示す概略斜視図であり、図６は、図３に示すプリンタにおいてリアパネルをセット基準として使用している状態を後方側から見た図である。
【００１６】
第２の実施の形態は、図３および図４を参照すると、リアパネル８が蝶番９によって横方向に開閉するように構成されており、リアパネル８が開成された状態では、リアパネル８が装置の後方側に延出されると共に、装置の後方にセットされたファンフォールドシート３を装置内に供給するための通紙口が解放されるようになっている。
【００１７】
リアパネル８の上部には、リアパネル固定アーム１０が回転軸１１によって回動自在に取り付けられており、リアパネル固定アーム１０の解放端には、係合突起１２が設けられている。
【００１８】
装置背面部には、リアパネル８の閉成時にリアパネル固定アーム１０の解放端を収納することができるアーム収納部１３が形成されていると共に、リアパネル８の開成時にリアパネル固定アーム１０の解放端に設けられた係合突起１２と係合する凹部を有するアーム係合部１４が形成されている。
【００１９】
リアパネル固定アーム１０は、開成時のリアパネル８の位置決めを行う位置決め手段として機能し、図５および図６に示すように、リアパネル８を開成し、リアパネル固定アーム１０の係合突起１２をアーム係合部１４に係合させた状態では、リアパネル８は、リアパネル８と装置背面との間に架け渡されたリアパネル固定アーム１０によって、リアパネル８のファンフォールドシート３と当接する側の面が基準面（側板４）と同一平面上に配置されるように位置決めされる。
【００２０】
従って、開成状態のリアパネル８は、ファンフォールドシート３を装置の後方にセットする際のセット基準となると共に、装置内に供給されるファンフォールドシート３の搬送をガイドするガイド手段として機能する。
【００２１】
なお、第２の実施の形態では、リアパネル固定アーム１０をリアパネル８の上部に設けたが、リアパネル固定アーム１０は、リアパネル８の下部等のどの部分に設けても良く、また、リアパネル固定アーム１０を装置背面に回動自在に設け、リアパネル８にリアパネル固定アーム１０の解放端を係合する係合部を設けるようにしても良い。
【００２２】
さらに、リアパネル固定アーム１０をリアパネル８に設けることなく別部材としても良く、この場合には、リアパネル８にリアパネル固定アーム１０の一端部を係合する係合部を設け、当該係合部と、装置背面に設けられたアーム係合部１４との間にリアパネル固定アーム１０を架け渡すことによってリアパネル８を固定するようにすると良い。
【００２３】
以上説明したように、本実施の形態によれば、位置決め手段（パネル取り付け溝７、リアパネル固定アーム１０）によって、通紙口を開閉自在に覆うリアパネル５、８を装置の後方側に延出させ、且つリアパネル５、８のファンフォールドシート３と当接する側の面が、ファンフォールドシート３を搬送する際の基準面（側板４）と同一平面上に配置されるように位置決めすることにより、リアパネル５、８をセット基準としてファンフォールドシート３をセットすることができるため、ファンフォールドシート３を正確な位置にセットすることができ、装置内に供給されるファンフォールドシート３に蛇行が生じることなく、ファンフォールドシート３が破れることがないという効果を奏する。
【００２４】
さらに、本実施の形態によれば、リアパネル５、８のファンフォールドシート３と当接する側の面に、ファンフォールドシート３をセットする位置を示すセット位置目印５１を標記することにより、セット位置目印５１をセット基準としてファンフォールドシート３をセットすることができるため、ファンフォールドシート３を正確な位置にセットすることができ、装置内へのファンフォールドシート３の供給時にラベルが剥がれてしまうことがないという効果を奏する。
【００２５】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２６】
【図１】本発明に係るプリンタの第１の実施の形態の構成を示す概略斜視図である。
【図２】図１に示すプリンタにおいてリアパネルをセット基準として使用している状態を示す概略斜視図である。
【図３】本発明に係るプリンタの第２の実施の形態の構成を示す概略斜視図である。
【図４】図３に示すプリンタを後方側から見た図である。
【図５】図３に示すプリンタにおいてリアパネルをセット基準として使用している状態を示す概略斜視図である。
【図６】図３に示すプリンタにおいてリアパネルをセット基準として使用している状態を後方側から見た図である。
【符号の説明】
【００２７】
１  プラテン
２  サーマルヘッド
３  ファンフォールドシート
４  側板
５  リアパネル
６  底板
７  パネル取り付け溝（位置決め手段）
８  リアパネル
９  蝶番
１０  リアパネル固定アーム（位置決め手段）
１１  回転軸
１２  係合突起
１３  アーム収納部
１４  アーム係合部
５１  セット位置目印
【図１】
2006068902.tif 000003
【図２】
2006068902.tif 000004
【図３】
2006068902.tif 000005
【図４】
2006068902.tif 000006
【図５】
2006068902.tif 000007
【図６】
2006068902.tif 000008